(57)【要約】【課題】干渉を適切に低減する。【解決手段】ＬＴＥ基地局１０−１は、他ＬＴＥ基地局との間のＸ２インタフェースが機能している場合には、当該Ｘ２インタフェースを用いて他ＬＴＥ基地局へＩＣＩＣ関連メッセージを送信する。また、ＬＴＥ基地局１０−１は、他ＬＴＥ基地局との間のＸ２インタフェースが機能していない場合には、Ｓ１インタフェースを用いて他ＬＴＥ基地局へＩＣＩＣ関連メッセージを送信する。【選択図】図４
2011223525.tif 000002
【特許請求の範囲】
【請求項１】
無線基地局と上位ネットワークにおけるネットワーク制御装置との間の論理的な伝送路である第１インタフェースと、無線基地局の間の論理的な伝送路である第２インタフェースとが確立可能な無線通信システムを構成する無線基地局であって、
自無線基地局との間で、前記第２インタフェースが機能していない第１の他の無線基地局に対して、前記第１インタフェースを用いて、干渉に関連する情報である干渉情報を送信する送信部を備える無線基地局。
【請求項２】
前記送信部は、前記第１インタフェースを介した制御情報の送信及び受信によって無線端末の接続先が前記第１の他の無線基地局から自無線基地局に切り替わる場合における、前記第１の他の無線基地局に対して、前記第１インタフェースを用いて、前記干渉情報を送信する請求項１に記載の無線基地局。
【請求項３】
前記送信部は、自無線基地局との間で前記第２インタフェースが機能している第２の他の無線基地局に対して、前記第２インタフェースを用いて、前記干渉情報を送信し、その後に、前記第１の他の無線基地局に対して、前記第１インタフェースを用いて、前記干渉情報を送信する請求項１又は２に記載の無線基地局。
【請求項４】
前記送信部は、自無線基地局との間で前記第２インタフェースが機能している第２の他の無線基地局に対して、前記第２インタフェースを用いて、前記干渉情報を送信し、その後に干渉が低減しない場合に、前記第１の他の無線基地局に対して、前記第１インタフェースを用いて、前記干渉情報を送信する請求項３に記載の無線基地局。
【請求項５】
無線基地局と上位ネットワークにおけるネットワーク制御装置との間の論理的な伝送路である第１インタフェースと、無線基地局の間の論理的な伝送路である第２インタフェースとが確立可能な無線通信システムを構成する無線基地局における通信制御方法であって、
自無線基地局との間で、前記第２インタフェースが機能していない第１の他の無線基地局に対して、前記第１インタフェースを用いて、干渉に関連する情報である干渉情報を送信するステップを備える通信制御方法。
【発明の詳細な説明】
【技術分野】
【０００１】
本発明は、無線基地局と上位ネットワークにおけるネットワーク制御装置との間の論理的な伝送路である第１インタフェースと、無線基地局の間の論理的な伝送路である第２インタフェースとが確立可能な無線通信システムを構成する無線基地局、及び、当該無線基地局における通信制御方法に関する。
【背景技術】
【０００２】
３ＧＰＰ（Third Generation Partnership Project）において、現在、規格策定中のＬＴＥ（Long Term Evolution）に対応する無線通信システムでは、無線基地局（以下、「ＬＴＥ基地局」と称する）の間の干渉を低減するために、セル間干渉調整（ＩＣＩＣ：Inter-Cell Interference Coordination）の機能が備えられている（例えば、非特許文献１参照）。ＩＣＩＣでは、ＬＴＥ基地局間で定期的に、ＬＩ（Load Information）メッセージが交換される。ＬＩメッセージは、干渉に関連する情報（干渉情報）であり、ＯＩ（Overload Indicator）、ＨＩＩ（High Interference Indicator）、ＲＮＴＰＩ（Relative Narrowband Tx Power Indicator）が含まれる。
【先行技術文献】
【非特許文献】
【０００３】
【非特許文献１】"3GPP TS 36.300 V8.5.0 (2008-05) "、［ｏｎｌｉｎｅ］、［平成２２年３月２５日検索］、＜ＵＲＬ：http://www.arib.or.jp/IMT-2000/V700Sep08/5_Appendix/Rel8/36/36300-850.pdf＞
【発明の概要】
【発明が解決しようとする課題】
【０００４】
しかしながら、上述したＩＣＩＣでは、ＬＴＥ基地局間のＬＩメッセージは、Ｘ２インタフェースを用いてのみ交換されるメッセージ（Ｘ２メッセージ）として規定されている。従って、Ｘ２インタフェースが機能していないＬＴＥ基地局間では、ＬＩメッセージは交換されない。このため、ＬＴＥ基地局は、他のＬＴＥ基地局における干渉を認識できず、当該干渉を低減するための処理を行うことができない場合がある。
【０００５】
上記問題点に鑑み、本発明は、無線基地局間の干渉を適切に低減する無線基地局及び通信制御方法を提供することを目的とする。
【課題を解決するための手段】
【０００６】
上述した課題を解決するために、本発明は以下のような特徴を有している。本発明の第１の特徴は、無線基地局と上位ネットワークにおけるネットワーク制御装置との間の論理的な伝送路である第１インタフェースと、無線基地局の間の論理的な伝送路である第２インタフェースとが確立可能な無線通信システムを構成する無線基地局であって、自無線基地局との間で、前記第２インタフェースが機能していない第１の他の無線基地局に対して、前記第１インタフェースを用いて、干渉に関連する情報である干渉情報を送信する送信部（ＩＣＩＣ関連メッセージ送信処理部１５４）を備えることを要旨とする。
【０００７】
このような無線基地局は、自無線基地局との間で、第２インタフェースが機能していない他の無線基地局に対して、第１インタフェースを用いて、干渉情報を送信する。従って、従来のように、自無線基地局との間で、第２インタフェースが機能していない他の無線基地局に対して、干渉情報が送信されない事態を防止し、無線基地局間の干渉を適切に低減できる。
【０００８】
本発明の第２の特徴は、前記送信部は、前記第１インタフェースを介した制御情報の送信及び受信によって無線端末の接続先が前記第１の他の無線基地局から自無線基地局に切り替わる場合における、前記第１の他の無線基地局に対して、前記第１インタフェースを用いて、前記干渉情報を送信することを要旨とする。
【０００９】
本発明の第３の特徴は、前記送信部は、自無線基地局との間で前記第２インタフェースが機能している第２の他の無線基地局に対して、前記第２インタフェースを用いて、前記干渉情報を送信し、その後に、前記第１の他の無線基地局に対して、前記第１インタフェースを用いて、前記干渉情報を送信することを要旨とする。
【００１０】
本発明の第４の特徴は、前記送信部は、自無線基地局との間で前記第２インタフェースが機能している第２の他の無線基地局に対して、前記第２インタフェースを用いて、前記干渉情報を送信し、その後に干渉が低減しない場合に、前記第１の他の無線基地局に対して、前記第１インタフェースを用いて、前記干渉情報を送信することを要旨とする。
【００１１】
本発明の第５の特徴は、無線基地局と上位ネットワークにおけるネットワーク制御装置との間の論理的な伝送路である第１インタフェースと、無線基地局の間の論理的な伝送路である第２インタフェースとが確立可能な無線通信システムを構成する無線基地局における通信制御方法であって、自無線基地局との間で、前記第２インタフェースが機能していない第１の他の無線基地局に対して、前記第１インタフェースを用いて、干渉に関連する情報である干渉情報を送信するステップを備えることを要旨とする。
【発明の効果】
【００１２】
本発明によれば、無線基地局間の干渉を適切に低減できる。
【図面の簡単な説明】
【００１３】
【図１】本発明の実施形態に係る無線通信システムの全体概略構成図である。
【図２】本発明の実施形態に係る無線通信システムにおけるＳ１インタフェースの確立状態を示す図である。
【図３】本発明の実施形態に係る無線通信システムにおけるＸ２インタフェースの確立状態を示す図である。
【図４】本発明の実施形態に係る、ＬＴＥ基地局の構成図である。
【図５】本発明の実施形態に係るＭＭＥ／ＳＧＷの構成図である。
【図６】本発明の実施形態に係る無線通信システムにおけるＳ１ハンドオーバ時の動作を示すシーケンス図である。
【図７】本発明の実施形態に係るＬＴＥ基地局におけるＳ１ハンドオーバ元基地局特定の動作を示すフローチャートである。
【図８】本発明の実施形態に係る無線通信システムにおけるＩＣＩＣ関連メッセージの送信及び受信の動作を示すシーケンス図である。
【図９】本発明の実施形態に係るＬＴＥ基地局におけるＩＣＩＣ関連メッセージの送信時の第１の動作を示すフローチャートである。
【図１０】本発明の実施形態に係るＬＴＥ基地局におけるＩＣＩＣ関連メッセージの送信時の第２の動作を示すフローチャートである。
【発明を実施するための形態】
【００１４】
次に、図面を参照して、本発明の実施形態を説明する。具体的には、（１）無線通信システムの概略構成、（２）ＬＴＥ基地局の構成、（３）ＭＭＥ／ＳＧＷの構成、（４）無線通信システムの動作、（５）作用・効果、（６）その他の実施形態について説明する。以下の実施形態における図面の記載において、同一又は類似の部分には同一又は類似の符号を付している。
【００１５】
（１）無線通信システムの概略構成
図１は、本実施形態に係る無線通信システムの概略構成図である。本実施形態では、無線通信システム１は、ＬＴＥ技術を用いて構成されている。図１に示す無線通信システム１は、無線基地局であるＬＴＥ基地局１０−１、１０−２、１０−３と、ネットワーク制御装置であるＭＭＥ（Mobile Management Entity）／ＳＧＷ（Serving Gateway）２０と、ＬＴＥ基地局１０−１乃至１０−３とＭＭＥ／ＳＧＷ２０とを接続するコアネットワーク３０と、ＬＴＥ基地局１０−１とＬＴＥ基地局１０−２とを接続する光ファイバ３５−１と、ＬＴＥ基地局１０−１とＬＴＥ基地局１０−３とを接続する光ファイバ３５−２と、ＬＴＥ基地局１０−２とＬＴＥ基地局１０−３とを接続する光ファイバ３５−３と、無線端末４０とを含む。
【００１６】
ＬＴＥ基地局１０−１乃至１０−３と、無線端末４０とは、無線通信区間を介して無線通信を行う。ＬＴＥにおいて、ＬＴＥ基地局１０−１乃至１０−３と、無線端末４０との間の通信方式は、Ｅ−ＵＴＲＡＮ（Evolved UMTS Terrestrial Radio Access Network）と称される。
【００１７】
図２は、無線通信システム１におけるＳ１インタフェースの確立状態を示す図である。図２において、ＬＴＥ基地局１０−１とＭＭＥ／ＳＧＷ２０との間には、コアネットワーク３０を介して、トランスポート層の論理的な伝送路であるＳ１インタフェース＃１が確立される。また、ＬＴＥ基地局１０−２とＭＭＥ／ＳＧＷ２０との間には、コアネットワーク３０を介して、Ｓ１インタフェース＃２が確立される。ＬＴＥ基地局１０−３とＭＭＥ／ＳＧＷ２０との間には、コアネットワーク３０を介して、Ｓ１インタフェース＃３が確立される。
【００１８】
図３は、無線通信システム１におけるＸ２インタフェースの確立状態を示す図である。図３において、ＬＴＥ基地局１０−１とＬＴＥ基地局１０−２との間には、光ファイバ３５−１を介して、トランスポート層の論理的な伝送路であるＸ２インタフェース＃１が確立可能である。また、ＬＴＥ基地局１０−１とＬＴＥ基地局１０−３との間には、光ファイバ３５−２を介して、Ｘ２インタフェース＃２が確立可能である。ＬＴＥ基地局１０−２とＬＴＥ基地局１０−３との間には、光ファイバ３５−３を介して、Ｘ２インタフェース＃３が確立可能である。但し、Ｓ１インタフェースの確立は必須であるのに対し、Ｘ２インタフェースの確立は任意である。
【００１９】
ＬＴＥの無線通信システム１では、Ｘ２インタフェースを用いてデータフォワーディングが実行されるハンドオーバ（以下、「Ｘ２ハンドオーバ」と称する）と、Ｓ１インタフェースを用いてデータフォワーディングが実行されるハンドオーバ（以下、「Ｓ１ハンドオーバ」と称する）とが規定されている。データフォワーディングとは、ハンドオーバの直前において、ハンドオーバ元のＬＴＥ基地局が、無線端末に対して送信しきれなかったデータを、Ｘ２インタフェースやＳ１インタフェースを用いてハンドオーバ先のＬＴＥ基地局へ転送する機能である。
【００２０】
ＬＴＥ基地局の間にＸ２インタフェースが確立されている場合には、当該ＬＴＥ基地局の一方をハンドオーバ元（Source eNB）とし、他方をハンドオーバ先（Target eNB）とするハンドオーバは、Ｘ２ハンドオーバとなる。また、ＬＴＥ基地局の間にＸ２インタフェースが確立されていない場合には、当該ＬＴＥ基地局の一方をハンドオーバ元とし、他方をハンドオーバ先とするハンドオーバは、Ｓ１ハンドオーバとなる。すなわち、Ｘ２ハンドオーバとＳ１ハンドオーバとでは、ＬＴＥ基地局間でのデータフォワーディングにおける伝送遅延時間を短縮するために、Ｘ２ハンドオーバが優先される。
【００２１】
（２）ＬＴＥ基地局の構成
図４は、ＬＴＥ基地局１０−１の構成を示す図である。図２に示すＬＴＥ基地局１０−１は、制御部１０２、記憶部１０３、Ｉ／Ｆ部１０４、無線通信部１０６、アンテナ１０８を含む。なお、ＬＴＥ基地局１０−２及び１０−３も、ＬＴＥ基地局１０−１と同様の構成を有する。
【００２２】
制御部１０２は、例えばＣＰＵ（Central Processing Unit）やＤＳＰ（Digital Signal Processor）を用いて構成され、ＬＴＥ基地局１０−１が具備する各種機能を制御する。記憶部１０３は、例えばメモリによって構成され、ＬＴＥ基地局１０−１における制御などに用いられる各種情報を記憶する。
【００２３】
Ｉ／Ｆ部１０４は、コアネットワーク３０、光ファイバ３５−１及び光ファイバ３５−２に接続されている。無線通信部１０６は、ＲＦ回路、ベースバンド回路等を含み、変調及び復調、符号化及び復号等を行い、アンテナ１０８を介して、無線端末４０との間で、無線信号の送信及び受信を行う。
【００２４】
制御部１０２は、Ｓ１ハンドオーバ元基地局特定部１５２、ＩＣＩＣ関連メッセージ送信処理部１５４、ＩＣＩＣ関連メッセージ受信処理部１５６及び干渉制御部１５８を含む。
【００２５】
Ｓ１ハンドオーバ元基地局特定部１５２は、他ＬＴＥ基地局（ここではＬＴＥ基地局１０−１以外のＬＴＥ基地局１０−２やＬＴＥ基地局１０−３）がハンドオーバ元となり、ＬＴＥ基地局１０−１がハンドオーバ先となる場合のＳ１ハンドオーバが行われる場合に、ハンドオーバ元である他ＬＴＥ基地局を特定する。
【００２６】
Ｓ１ハンドオーバは、ハンドオーバ元のＬＴＥ基地局とハンドオーバ先のＬＴＥ基地局との間で、Ｘ２インタフェースが機能していないために、Ｘ２インタフェースを用いてハンドオーバに必要な情報の伝送ができない場合、換言すれば、Ｘ２ハンドオーバができない場合に、当該Ｘ２ハンドオーバの代わりに行われる。Ｘ２インタフェースが機能していない場合とは、Ｘ２インタフェースが確立されていない場合や、Ｘ２インタフェースが確立されているものの、何らかの障害によってＸ２インタフェースを用いた情報伝送ができない場合を示す。
【００２７】
Ｓ１ハンドオーバのハンドオーバ元である他ＬＴＥ基地局は、ＬＴＥ基地局１０−１との間でハンドオーバが行われるほど、ＬＴＥ基地局１０−１の近くに存在するにもかかわらず、Ｘ２インタフェースが機能していないために、ＬＴＥ基地局１０−１との間で、Ｘ２インタフェースを用いてＩＣＩＣ関連メッセージを送信することができないＬＴＥ基地局であると見なし得る。
【００２８】
Ｓ１ハンドオーバ元基地局特定部１５２は、Ｓ１ハンドオーバが行われる場合、ハンドオーバ元の他ＬＴＥ基地局からのハンドオーバ情報（例えば、ハンドオーバリクエスト）に含まれる、ハンドオーバ元の他ＬＴＥ基地局の識別情報であるグローバルＩＤ（Ｇｌｏｂａｌ−ＣＩＤ）を取得する。Ｓ１ハンドオーバ元基地局特定部１５２は、取得したグローバルＩＤを、ＬＴＥ基地局１０−１がハンドオーバ先となるＳ１ハンドオーバが行われる場合のハンドオーバ元の他ＬＴＥ基地局のグローバルＩＤ（Ｓ１インタフェースグローバルＩＤ）として、記憶部１０３に記憶させる。
【００２９】
ＩＣＩＣ関連メッセージ送信処理部１５４は、Ｉ／Ｆ部１０４を介して、他ＬＴＥ基地局に対して、ＩＣＩＣ関連メッセージを送信する処理を行う。ＩＣＩＣ関連メッセージは、ＬＴＥ基地局１０−１において生じている干渉に関連する情報（干渉情報）としてのＬＩ（Load Information）メッセージである。ＬＩメッセージは、干渉に関連する情報（干渉情報）であり、ＯＩ（Overload Indicator）、ＨＩＩ（High Interference Indicator）、ＲＮＴＰＩ（Relative Narrowband Tx Power Indicator）が含まれる。
【００３０】
ＯＩは、無線端末４０からＬＴＥ基地局１０−１に向かう上りリンク（Uplink）において、閾値以上の値の干渉を受けているリソースブロックをＬＴＥ基地局１０−１から他ＬＴＥ基地局へ通知する際に使用されるメッセージである。ＨＩＩは、ＬＴＥ基地局１０−１が上り方向において使用を予定しているリソースブロックを他ＬＴＥ基地局へ通知し、当該他ＬＴＥ基地局における使用を制限させる際に使用されるメッセージである。ＲＮＴＰＩは、ＬＴＥ基地局１０−１から無線端末４０に向かう下りリンク（Downlink）の所定のリソースブロックについて、他ＬＴＥ基地局において送信電力を低減させる際に使用されるメッセージである。
【００３１】
ＯＩは、ＬＴＥ基地局１０−１が実際に干渉を受けた場合に使用されるメッセージである。ＯＩを用いたＩＣＩＣは、リアクティブ方式と称される。一方、ＨＩＩやＲＮＴＰＩは、ＬＴＥ基地局１０−１が干渉を受ける前に当該干渉を予防すべく使用されるメッセージである。ＨＩＩやＲＮＴＰＩを用いたＩＣＩＣは、プロアクティブ方式と称される。
【００３２】
ＩＣＩＣ関連メッセージ送信処理部１５４は、ＩＣＩＣ関連メッセージの送信条件を満たすか否かを判定する。
【００３３】
具体的には、ＩＣＩＣがリアクティブ方式である場合には、ＬＴＥ基地局１０−１は、上りリンクにおいて、閾値以上の値の干渉を受けているリソースブロックが存在するか否かを判定する。上りリンクにおいて、閾値以上の値の干渉を受けているリソースブロックが存在する場合、ＬＴＥ基地局１０−１は、ＩＣＩＣ関連メッセージの送信条件を満たすと判断する。
【００３４】
また、ＩＣＩＣがプロアクティブ方式である場合には、ＬＴＥ基地局１０−１は、使用を予定しているリソースブロックが存在するか否かを判定する。使用を予定しているリソースブロックが存在する場合、ＬＴＥ基地局１０−１は、ＩＣＩＣ関連メッセージの送信条件を満たすと判断する。
【００３５】
ＩＣＩＣ関連メッセージ送信処理部１５４は、ＩＣＩＣ関連メッセージの送信条件を満たす場合、ＬＴＥ基地局１０−１との間でＸ２インタフェースが機能している他ＬＴＥ基地局を特定する。例えば、記憶部１０３には、ＬＴＥ基地局１０−１との間でＸ２インタフェースが機能している他ＬＴＥ基地局のグローバルＩＤ（Ｘ２インタフェースグローバルＩＤ）が記憶されている。ＩＣＩＣ関連メッセージ送信処理部１５４は、記憶部１０３から読み出したＸ２インタフェースグローバルＩＤによって、ＬＴＥ基地局１０−１との間でＸ２インタフェースが機能している他ＬＴＥ基地局を特定できる。
【００３６】
例えば、ＬＴＥ基地局１０−１は、所定の周期で、Ｘ２インタフェースを用いて他ＬＴＥ基地局に向けて所定の信号（例えば、ping）を送信する。Ｘ２インタフェースが機能している場合には、他ＬＴＥ基地局は、ＬＴＥ基地局１０−１からの所定の信号に対する応答の信号を、Ｘ２インタフェースを用いて、ＬＴＥ基地局１０−１に向けて送信する。ＬＴＥ基地局１０−１が応答の信号を受信した場合、当該応答の信号の送信元である他ＬＴＥ基地局は、ＬＴＥ基地局１０−１との間でＸ２インタフェースが機能している他ＬＴＥ基地局として特定される。
【００３７】
ＩＣＩＣ関連メッセージ送信処理部１５４は、記憶部１０３から読み出したＸ２インタフェースグローバルＩＤを宛先とし、Ｘ２インタフェースを用いてＩＣＩＣ関連メッセージを送信する。
【００３８】
あるいは、ＩＣＩＣ関連メッセージ送信処理部１５４は、Ｘ２インタフェースを用いて、ブロードキャスト通信により、ＩＣＩＣ関連メッセージを送信する。
【００３９】
ここで、ＩＣＩＣ関連メッセージ送信処理部１５４は、ＩＣＩＣがリアクティブ方式である場合には、ＯＩをＩＣＩＣ関連メッセージとして送信する。また、ＩＣＩＣ関連メッセージ送信処理部１５４は、ＩＣＩＣがプロアクティブ方式である場合には、ＨＩＩやＲＮＴＰＩをＩＣＩＣ関連メッセージとして送信する。
【００４０】
その後、ＩＣＩＣ関連メッセージ送信処理部１５４は、ＬＴＥ基地局１０−１に生じている干渉の値が所定値以下であるか否かを判定する。ＩＣＩＣがリアクティブ方式である場合には、ＩＣＩＣ関連メッセージの送信先の他ＬＴＥ基地局が干渉の発生源であり、当該他ＬＴＥ基地局において干渉制御が行われることによって、ＬＴＥ基地局１０−１に生じている干渉は低下する。また、ＩＣＩＣがリアクティブ方式である場合には、ＩＣＩＣ関連メッセージの送信先の他ＬＴＥ基地局が干渉の発生源であり、当該他ＬＴＥ基地局において干渉制御が行われることによって、ＬＴＥ基地局１０−１に生じている干渉は低下し、あるいは、低い値を維持する。
【００４１】
従って、ＬＴＥ基地局１０−１に生じている干渉の値が所定値を超える場合には、ＬＴＥ基地局１０−１がＸ２インタフェースを用いて送信したＩＣＩＣ関連メッセージの送信先である他ＬＴＥ基地局は、干渉の発生源ではないと見なすことができる。
【００４２】
このため、ＬＴＥ基地局１０−１に生じている干渉の値が所定値を超える場合には、ＩＣＩＣ関連メッセージ送信処理部１５４は、Ｓ１インタフェースを用いて、他ＬＴＥ基地局へＩＣＩＣ関連メッセージを送信する処理を行う。
【００４３】
具体的には、ＩＣＩＣ関連メッセージ送信処理部１５４は、記憶部１０３に記憶されたＳ１インタフェースグローバルＩＤを読み出す。更に、ＩＣＩＣ関連メッセージ送信処理部１５４は、読み出したＳ１インタフェースグローバルＩＤを宛先とし、Ｓ１インタフェースを用いて、ユニキャスト通信あるいはマルチキャスト通信によりＩＣＩＣ関連メッセージを送信する。
【００４４】
ＩＣＩＣ関連メッセージ受信処理部１５６は、他ＬＴＥ基地局からのＩＣＩＣ関連メッセージを、Ｘ２インタフェースあるいはＳ１インタフェースを用いて受信する。
【００４５】
干渉制御部１５８は、他ＬＴＥ基地局からのＩＣＩＣ関連メッセージが受信された場合、当該ＩＣＩＣ関連メッセージに基づいて、他ＬＴＥ基地局における干渉を低減させるための制御を行う。
【００４６】
具体的には、ＩＣＩＣ関連メッセージがＯＩである場合、干渉制御部１５８は、ＯＩによって示されたリソースブロックに対応する送信電力を低減させる、あるいは、ＯＩによって示されたリソースブロックを使用しないようにする。ＩＣＩＣ関連メッセージがＨＩＩである場合、干渉制御部１５８は、ＨＩＩによって示されたリソースブロックを可能な限り使用しないようにする。ＩＣＩＣ関連メッセージがＲＮＴＰＩである場合、干渉制御部１５８は、ＲＮＴＰＩで示されたリソースブロックに対応する送信電力を低減させる。
【００４７】
（３）ＭＭＥ／ＳＧＷの構成
図５は、ＭＭＥ／ＳＧＷ２０の構成を示す図である。図５に示すＭＭＥ／ＳＧＷ２０は、制御部２０２、記憶部２０３、Ｉ／Ｆ部２０４を含む。
【００４８】
制御部２０２は、例えばＣＰＵやＤＳＰによって構成され、ＭＭＥ／ＳＧＷ２０が具備する各種機能を制御する。記憶部２０３は、例えばメモリによって構成され、ＭＭＥ／ＳＧＷ２０における制御などに用いられる各種情報を記憶する。Ｉ／Ｆ部２０４は、コアネットワーク３０に接続されている。
【００４９】
制御部２０２は、ＩＣＩＣ関連メッセージ中継処理部２５２を含む。ＩＣＩＣ関連メッセージ中継処理部２５２は、コアネットワーク３０におけるＳ１インタフェース及びＩ／Ｆ部２０４を介して、ＬＴＥ基地局１０−１乃至１０−３からのＩＣＩＣ関連メッセージを受信する。ＩＣＩＣ関連メッセージ中継処理部２５２は、受信したＩＣＩＣ関連メッセージ内の宛先の情報に基づいて、当該ＩＣＩＣ関連メッセージの宛先となるＬＴＥ基地局１０−１乃至１０−３の何れかを特定する。更に、ＩＣＩＣ関連メッセージ中継処理部２５２は、Ｉ／Ｆ部２０４と、特定したＬＴＥ基地局１０−１乃至１０−３の何れかとの間に確立されているコアネットワーク３０におけるＸ２インタフェースとを介して、特定したＬＴＥ基地局１０−１乃至１０−３の何れかに対して、ＩＣＩＣ関連メッセージを送信する。
【００５０】
（４）無線通信システムの動作
図６は、無線通信システム１におけるＳ１ハンドオーバ時の動作を示すシーケンス図である。図６は、無線端末４０について、ＬＴＥ基地局１０−２をハンドオーバ元とし、ＬＴＥ基地局１０−１をハンドオーバ先とするＳ１ハンドオーバが行われる場合の例である。
【００５１】
ステップＳ１０１において、無線端末４０が接続しているハンドオーバ元であるＬＴＥ基地局１０−２は、無線端末４０の接続先をＬＴＥ基地局１０−２からＬＴＥ基地局１０−１へ切り替えるハンドオーバを行うことを決定する。ステップＳ１０２において、ＬＴＥ基地局１０−２は、ＭＭＥ／ＳＧＷ２０に対して、Ｓ１インタフェースを用いて、ハンドオーバリクエストを送信する。ＭＭＥ／ＳＧＷ２０は、ハンドオーバリクエストを受信する。
【００５２】
ステップＳ１０３において、ＭＭＥ／ＳＧＷ２０は、受信したハンドオーバリクエストを、Ｓ１インタフェースを用いてＬＴＥ基地局１０−１へ送信する。ＬＴＥ基地局１０−１は、ハンドオーバリクエストを受信する。
【００５３】
ステップＳ１０４において、ＬＴＥ基地局１０−１は、Ｓ１ハンドオーバにおけるハンドオーバ元の他ＬＴＥ基地局（ここでは、ＬＴＥ基地局１０−２）を特定する処理を行う。具体的には、以下の処理が行われる。
【００５４】
図７は、ＬＴＥ基地局１０−１におけるＳ１ハンドオーバ元の他ＬＴＥ基地局の特定の動作を示すフローチャートである。
【００５５】
ステップＳ２０１において、ＬＴＥ基地局１０−１は、ハンドオーバリクエストに含まれる、Ｓ１インタフェースグローバルＩＤを抽出する。ステップＳ２０２において、ＬＴＥ基地局１０−１は、Ｓ１インタフェースグローバルＩＤを記憶する。
【００５６】
再び、図６に戻って説明する。ステップＳ１０５において、ＬＴＥ基地局１０−１は、ハンドオーバリクエストを受け入れる場合、当該ハンドオーバリクエストに対するＡＣＫ（ハンドオーバリクエストＡＣＫ）を、Ｓ１インタフェースを用いて、ＭＭＥ／ＳＧＷ２０へ送信する。ＭＭＥ／ＳＧＷ２０は、ハンドオーバリクエストＡＣＫを受信する。
【００５７】
ステップＳ１０６において、ＭＭＥ／ＳＧＷ２０は、ＬＴＥ基地局１０−２に対して、Ｓ１インタフェースを用いて、ハンドオーバコマンドを送信する。ＬＴＥ基地局１０−２は、ハンドオーバコマンドを受信する。
【００５８】
ステップＳ１０７において、ＬＴＥ基地局１０−２は、無線端末４０に対して、ＲＲＣ（Radio Resource Control）再構成リクエストを送信する。無線端末４０は、ＲＲＣ再構成リクエストを受信する。
【００５９】
ステップＳ１０８において、ＬＴＥ基地局１０−２は、ＭＭＥ／ＳＧＷ２０に対して、Ｓ１インタフェースを用いて、ｅＮＢステータス通知を送信する。ＭＭＥ／ＳＧＷ２０へｅＮＢステータス通知を受信する。
【００６０】
ステップＳ１０９において、ＭＭＥ／ＳＧＷ２０は、ＬＴＥ基地局１０−１に対して、Ｓ１インタフェースを用いて、ＭＭＥステータス通知を送信する。ＬＴＥ基地局１０−１は、ＭＭＥステータス通知を受信する。
【００６１】
図８は、無線通信システム１におけるＩＣＩＣ関連メッセージの送信及び受信の動作を示すシーケンス図である。図８は、ＬＴＥ基地局１０−１において干渉が生じている場合の例である。また、図８は、ＬＴＥ基地局１０−１とＬＴＥ基地局１０−２との間のＸ２インタフェース（図４のＸ２インタフェース＃１）が機能しており、ＬＴＥ基地局１０−１とＬＴＥ基地局１０−２との間のＸ２インタフェース（図４のＸ２インタフェース＃２）が機能していない場合の例である。
【００６２】
ステップＳ３０１において、ＬＴＥ基地局１０−１は、Ｘ２インタフェースを用いたＩＣＩＣ関連メッセージの送信処理を行う。具体的には、以下の処理が行われる。
【００６３】
図９は、ＬＴＥ基地局１０−１におけるＸ２インタフェースを用いたＩＣＩＣ関連メッセージの送信時の動作を示すフローチャートである。
【００６４】
ステップＳ４０１において、ＬＴＥ基地局１０−１は、ＩＣＩＣ関連メッセージの送信条件を満たすか否かを判定する。ＩＣＩＣ関連メッセージの送信条件を満たす場合、ステップＳ４０２において、ＬＴＥ基地局１０−１は、Ｘ２インタフェースを用いてＩＣＩＣ関連メッセージをＬＴＥ基地局１０−２へ送信する。
【００６５】
再び、図８に戻って説明する。ステップＳ３０２において、ＬＴＥ基地局１０−１からＬＴＥ基地局１０−２へＸ２インタフェースを用いてＩＣＩＣ関連メッセージが送信される。
【００６６】
ステップＳ３０３において、ＬＴＥ基地局１０−２は、受信したＩＣＩＣ関連メッセージに応じて干渉制御を行う。
【００６７】
その後、ステップＳ３０４において、ＬＴＥ基地局１０−１は、Ｓ１インタフェースを用いたＩＣＩＣ関連メッセージの送信処理を行う。具体的には、以下の処理が行われる。
【００６８】
図１０は、ＬＴＥ基地局１０−１におけるＳ１インタフェースを用いたＩＣＩＣ関連メッセージの送信時の動作を示すフローチャートである。
【００６９】
ステップＳ５０１において、ＬＴＥ基地局１０−１は、当該ＬＴＥ基地局１０−１に生じている干渉の値が所定値以下であるか否かを判定する。ＬＴＥ基地局１０−１に生じている干渉の値が所定値以下である場合（ステップＳ５０１において「ＹＥＳ」の場合）には、一連の動作が終了する。この場合、図８のステップＳ３０５以降の動作は行われない。
【００７０】
ＬＴＥ基地局１０−１に生じている干渉の値が所定値を超える場合（ステップＳ５０１において「ＮＯ」の場合）には、ステップＳ５０２において、ＬＴＥ基地局１０−１は、記憶しているＳ１インタフェースグローバルＩＤにより、Ｓ１インタフェースを用いたＩＣＩＣ関連メッセージの送信先であるＬＴＥ基地局１０−３を特定する。
【００７１】
ステップＳ５０３において、ＬＴＥ基地局１０−１は、Ｓ１インタフェースを用いてＩＣＩＣ関連メッセージをＬＴＥ基地局１０−３へ送信する。
【００７２】
再び、図８に戻って説明する。ステップＳ３０５において、ＬＴＥ基地局１０−１からＬＴＥ基地局１０−３へＳ１インタフェースを用いてＩＣＩＣ関連メッセージが送信される。
【００７３】
ステップＳ３０６において、ＭＭＥ／ＳＧＷ２０は、受信したＩＣＩＣ関連メッセージを、宛先であるＬＴＥ基地局１０−３に対して、Ｓ１インタフェースを用いて送信する。ＬＴＥ基地局１０−３は、ＩＣＩＣ関連メッセージを受信する。
【００７４】
ステップＳ３０７において、ＬＴＥ基地局１０−３は、受信したＩＣＩＣ関連メッセージに応じて干渉制御を行う。
【００７５】
（５）作用・効果
本発明の実施形態に係る無線通信システム１では、ＬＴＥ基地局１０−１は、自ＬＴＥ基地局との間で、Ｘ２インタフェースが機能していない他ＬＴＥ基地局に対して、Ｓ１インタフェースを用いて、ＩＣＩＣ関連メッセージを送信する。従って、従来のように、自ＬＴＥ基地局との間で、Ｘ２インタフェースが機能していない他ＬＴＥ基地局に対して、ＩＣＩＣ関連メッセージが送信されない事態を防止し、ＬＴＥ基地局間の干渉を適切に低減できる。
【００７６】
また、ＬＴＥ基地局１０−１は、まず、Ｘ２インタフェースを用いて他ＬＴＥ基地局へＩＣＩＣ関連メッセージを送信し、その後、自ＬＴＥ基地局に生じている干渉の値が所定値を超える場合、換言すれば、Ｘ２インタフェースが機能している他ＬＴＥ基地局における干渉制御では、ＬＴＥ基地局１０−１に生じている干渉が低下しない場合に、Ｓ１インタフェースを用いて他ＬＴＥ基地局へＩＣＩＣ関連メッセージを送信する。従って、干渉を低減させる目的を満たしつつ、Ｓ１インタフェースの使用を可能な限り減らし、コアネットワーク３０が混雑することを防止できる。
【００７７】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７８】
上述した実施形態では、ＬＴＥ基地局１０−１の制御部１０２内のＩＣＩＣ関連メッセージ送信処理部１５４は、Ｓ１インタフェースを用いてＭＭＥ／ＳＧＷ２０へＩＣＩＣ関連メッセージを送信する際に、宛先となる他ＬＴＥ基地局を指定して、ＭＭＥ／ＳＧＷ２０においてＩＣＩＣ関連メッセージの転送先を特定可能とした。
【００７９】
しかし、ＩＣＩＣ関連メッセージ送信処理部１５４は、ＧＰＳの機能等によってＬＴＥ基地局１０−１の位置を検出し、宛先となる他ＬＴＥ基地局の情報に代えて、検出した位置の情報（例えば、経度及び緯度の情報）をＩＣＩＣ関連メッセージに含ませて、ＭＭＥ／ＳＧＷ２０へ送信してもよい。この場合、ＭＭＥ／ＳＧＷ２０は、ＬＴＥ基地局１０−１からのＩＣＩＣ関連メッセージに含まれる、当該ＬＴＥ基地局１０−１の位置情報と、予め保持している他ＬＴＥ基地局の位置情報とに基づいて、ＬＴＥ基地局１０−１から所定距離内に存在する他ＬＴＥ基地局を、ＬＴＥ基地局１０−１からのＩＣＩＣ関連メッセージの転送先として決定する。
【００８０】
また、上述した実施形態では、ＬＴＥの無線通信システム１について説明したが、無線基地局間に論理的な伝送路が確立される無線通信システムであれば、同様に本発明を適用することができる。
【００８１】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８２】
１…無線通信システム、１０−１、１０−２、１０−３…ＬＴＥ基地局、２０…ＭＭＥ／ＳＧＷ、３０…コアネットワーク、３５−１、３５−２、３５−３…光ファイバ、４０…無線端末、１０２…制御部、１０３…記憶部、１０４…Ｉ／Ｆ部、１０６…無線通信部、１０８…アンテナ、１５２…Ｓ１ハンドオーバ元基地局特定部、１５４…ＩＣＩＣ関連メッセージ送信処理部、１５６…ＩＣＩＣ関連メッセージ受信処理部、１５８…干渉制御部、２０２…制御部、２０３…記憶部、２０４…Ｉ／Ｆ部、２５２…ＩＣＩＣ関連メッセージ中継処理部
【図１】
2011223525.tif 000003
【図２】
2011223525.tif 000004
【図３】
2011223525.tif 000005
【図４】
2011223525.tif 000006
【図５】
2011223525.tif 000007
【図６】
2011223525.tif 000008
【図７】
2011223525.tif 000009
【図８】
2011223525.tif 000010
【図９】
2011223525.tif 000011
【図１０】
2011223525.tif 000012